(57)【特許請求の範囲】
【請求項１】
二番還元口が扱室の後側板よりも後方にある脱穀機の穀粒選別構造であって、上記二番還元口から揺動選別板上に排出される二番物の排出経路に、排出された籾の分散方向を調整してササリ粒の発生を防止する防止手段を設け、扱室後方の四番口と扱室側方に並設した処理室とを仕切る仕切板を上記防止手段としたことを特徴とする脱穀機の穀粒選別構造。
【発明の詳細な説明】
【０００１】
【発明の属する技術分野】
本発明は、二番還元口が扱室の後側板よりも後方にある脱穀機における穀粒の選別構造に係るものである。
【０００２】
【従来の技術】
一般に、コンバイン等に搭載される脱穀機には、供給された刈取り穀稈を扱室内で脱穀処理し、受網を漏下した脱穀後の処理物を選別部で選別して、一番物は揚穀筒から揚上回収し、二番物は、扱室の後側板よりも後方にある二番還元口から揺動板上に排出還元して更に選別するようにした選別構造が知られている。
【０００３】
ところが、このような脱穀機では、脱穀処理後の排藁が扱室の後側板の後方を、後方上方に搬送されて排藁搬送体に受継がれるようになっているので、二番還元口から排出された二番物が搬送過程の排藁に当接してササリ粒が発生するという問題があった。
【０００４】
すなわち、扱室の後方には、脱穀処理後の排藁からの穀粒が落下する四番口が配置されているが、二番還元口から排出された二番物が、この四番口に向けて分散すると、四番口の近傍を通過する排藁の穂先側に籾が当接してササリ粒が発生し、また、二番還元口から排出されて上向きに分散した二番物は、四番口の上方まで搬送された排藁の穂先側に当接してササリ粒が発生するという問題があった。
【０００５】
【本発明が解決しようとする課題】
本発明は、上記のような問題点を解消すべく創作されたものであって、扱室の後側板よりも後方にある二番還元口から二番物を排出するものであっても、籾の分散方向を調整できるようにして、後側板後方の四番口の近傍を上方後方に搬送される排藁の穂先側に籾が刺ささってササリ粒が発生するのを未然に防止することができる脱穀機の穀粒選別構造を提供しようとするものである。
【０００６】
【課題を解決するための手段】
上記の課題を解決するため、本発明が講じた技術的手段は、 二番還元口が扱室の後側板よりも後方にある脱穀機の穀粒選別構造であって、上記二番還元口から揺動選別板上に排出される二番物の排出経路に、排出された籾の分散方向を調整してササリ粒の発生を防止する防止手段を設け、扱室後方の四番口と扱室側方に並設した処理室とを仕切る仕切板を上記防止手段としたことを特徴とするものである。
【０００７】
【発明の実施の形態】
次に本発明の実施の形態を、図面に示された一実施例に基いて詳細に説明する。まず図１〜図３において、１は脱穀機であって、この脱穀機１の前部に設けた扱室２には、扱歯３を固設した扱胴４が回転自在に軸架されており、扱室２の後部側方には、前後方向の処理室５が扱室２と連通状に並設されている。
【０００８】
上記処理室５の内部には処理歯６を固設した処理胴７が扱胴４と平行状に軸架されていて、受網８を漏下し得なかった穂切れ穀稈等の混合した処理物が、扱室２から処理室５に送り込まれると、回転する処理胴７でさらに処理して穀粒を分離し、藁屑等は処理室５後部の排塵口９から排出するようになっている。１０は処理胴７の始端部に設けた処理物の移送ラセンである。
【０００９】
上記扱室２および処理室５の下方には、搖動板、チャフシーブ等からなる揺動選別板１１が前後揺動自在に架設されており、その下方には機体の前部にある唐箕１２から選別風が送風されて、扱室２および処理室５から漏下した穀粒等を選別板１１の揺動選別作用と選別風の風選作用とで選別する選別部が構成されている。
【００１０】
１３は選別された穀粒を一番ラセン１４から揚上搬送して回収する揚穀筒、また、１５は二番ラセン１６から二番物を揚上して揺動選別板１１上に排出する還元ラセンであって、この還元ラセン１５の二番還元口１７が扱室２の後側板１８よりも後方の処理室５側にに配置されている。そして二番還元口１７から排出された二番物は矢印イのように、後側板１８の前方と後方に分散して還元される。１９は藁屑等を吸引排出する排塵ファンである。
【００１１】
２０は扱き口に沿って配設されたれたフィードチエンであって、該フィードチエン２０の上方には、スプリング２１で押圧付勢された挟扼レール２２が配設されている。そして刈取られた穀稈がフィードチェーン２０の始端側に供給されると、このフィードチェーン２０と挟扼レール２２とで株元側を挟持された穀稈は、扱き口に沿って搬送される過程で回転する扱胴４によって脱穀処理され、脱穀処理後の排藁はフィードチエン２０の搬送終端から排藁搬送体２３に受継がれて機体の後方に搬送放出される。
【００１２】
また、扱室２の後方には四番口２４が形成されており、排藁に混入して搬送された籾が分離してこの四番口２４から落下するようになっている。２５は分離した籾が滑落する四番漏斗である。そしてフィードチェーン２０で搬送される脱穀処理後の排藁は、その穂先側が、図２の矢印Ａで示すように、後側板１８の後方にある四番口２４の位置から、四番漏斗２５に沿って後方上方に搬送されて排藁搬送体２３に受継がれるようになっている。
【００１３】
このため後側板１８よりも後方にある二番還元口１７から排出される二番物は、搬送過程にある排藁の穂先側に当接してササリを生じ易くなるが、本発明のものは、二番物の排出経路に、籾の分散方向を調整してササリ粒の発生を防止する防止手段が設けてある。
【００１４】
すなわち、二番還元口１７から二番物が排出されたときに、扱室２後方の四番口２４の方向に分散すると、四番口２４近傍の搬送過程にある排藁の穂先側に当接してササリとなるが、本発明にものは図４、図５で示すように、二番物の排出経路には、四番口２４と処理室５との間を仕切る上下方向の仕切板２６が配設されていて、四番口２４に向けて排出された二番物は、籾の分散方向が下方に調整されて、ササリ粒の発生を防止するようになっている。なお、図４および図５のように、仕切板２６の長さを変えることのより、分散状態を調整している。
【００１５】
また、二番還元口１７から二番物が上向きに排出されたときには、二番還元口１７から上向きに分散した籾が、四番口２４の上方を搬送されている排藁の穂先側に当接してササリ粒となるが、図６で示すように、二番物の排出経路には、二番還元口１７の上方を覆う前後方向の抵抗板２７が配設されていて、上向きに排出された二番物はこの抵抗板２７に当接し、籾の分散方向が下方に調整されて、ササリ粒の発生を防止するようになっている。
【００１６】
本発明は上記のように構成したので、脱穀作業を行うにあたり、刈取った穀稈をフィードチエン２０の始端側に供給すれば、このフィードチェーン２０と挟扼レール２２とで株元側を挟持された穀稈は、扱き口に沿って搬送される過程で回転する扱胴４により脱穀処理され、脱穀処理後の排藁はフィードチエン２０の搬送終端から排藁搬送体２３に受継がれて機体の後方に搬送放出される。
【００１７】
また、扱室２の受網８を漏下した処理物は、搖動板、チャフシーブ等からなる揺動選別板１１の揺動選別作用と、唐箕１２から選別風による風選作用とで選別されて、選別された穀粒は一番ラセン１４から揚穀筒１３で揚上搬送して回収される。
【００１８】
そして、二番物は二番ラセン１６から還元ラセン１５が揚上して揺動選別板１１上に排出還元する。このとき、還元ラセン１５の二番還元口１７が扱室２の後側板１８よりも後方の処理室５側にに配置されているので、二番還元口１７からの二番物が、後側板１８の後方を機体の後方に搬送されている排藁の穂先側に向けて排出されるが、二番物の排出経路にはササリ粒の発生を防止する防止手段が設けてあるので、この防止手段が籾の分散方向を調整してササリ粒の発生を未然に防止する。
【００１９】
すなわち、ササリ粒の発生を防止する防止手段として、二番物の排出経路に、四番口２４と処理室５との間を仕切る上下方向の仕切板２６を設けたものでは、四番口２４の方向に二番物が排出されても、この仕切板２６に二番物が当接して籾の分散方向が下方に調整されるので、四番口２４の近傍を通過する排藁の穂先側に籾が刺さるササリ粒の発生を防止することができる。
【００２０】
また、ササリ粒の発生を防止する防止手段として、二番物の排出経路に二番還元口１７の上方を覆う前後方向の抵抗板２７を設けたものでは、二番還元口１７から上向きに排出された二番物が、この抵抗板２７に当接して籾の分散方向が下方に調整されるので、四番口２４の上方を搬送されている排藁の穂先側に籾が刺さるササリ粒の発生を防止することができる。
【００２１】
【発明の効果】
これを要するに本発明は、二番還元口が扱室の後側板よりも後方にある脱穀機の穀粒選別構造であって、上記二番還元口から揺動選別板上に排出される二番物の排出経路に、排出された籾の分散方向を調整してササリ粒の発生を防止する防止手段を設け、扱室後方の四番口と扱室側方に並設した処理室とを仕切る仕切板を上記防止手段としたことから、扱室の後側板よりも後方にある二番還元口から、後側板の後方にある排藁の穂先側に向けて二番物が排出されても、その排出経路に設けたササリ粒の発生を防止する防止手段が籾の分散方向を調整するので、排藁の穂先側に籾が刺さるササリ粒の発生を未然に防止することができる。
【００２２】
また、扱室後方の四番口と扱室側方に並設した処理室とを仕切る仕切板を、ササリ粒の発生を防止する防止手段としたことから、四番口の方向に排出された二番物が、この仕切板に当接して分散方向が調整されるので、四番口を通過する排藁に籾が刺さるササリ粒の発生を防止することができる。
【図面の簡単な説明】
【図１】脱穀機の平面図である。
【図２】同上側面図である。
【図３】同上四番口の位置を示す平面図である。
【図４】四番口と処理室とを仕切る仕切板を示す脱穀機の正面図である。
【図５】長さの異なる仕切板を示す正面図である。
【図６】二番還元口の上方を覆う抵抗板を設けた脱穀機の正面図である。
【符号の説明】
２        扱室
１１      揺動選別板
１７      二番還元口
１８      後側板
２６      ササリ粒防止手段としての仕切板
【図１】
0004349759.tif 000002
【図２】
0004349759.tif 000003
【図３】
0004349759.tif 000004
【図４】
0004349759.tif 000005
【図５】
0004349759.tif 000006
【図６】
0004349759.tif 000007